(57)【要約】【課題】同一平面上に複数の端子接続部を配置することで、外形の高さを全体として抑え、設置を容易にする分岐コネクタを提供すること。【解決手段】分岐コネクタ１，１Ａ，１Ｂ及び１Ｃは、複数のケーブル２１が配線された回路２が接続されるフード１１１を複数有するハウジング１１の内部に設けられ、各ケーブル２１とそれぞれ電気的に接続され、互いに絶縁された複数の分岐端子１２，１２Ａ，１２Ｂ，１２Ｃ及び１２Ｄを備え、分岐端子１２乃至１２Ｄは、複数のフード１１１内にそれぞれ配置され、ケーブル２１に接続される複数の端子接続部１２１と、複数の端子接続部１２１を互いに連結する端子連結部１２２と、を有し、複数の分岐端子１２乃至１２Ｄにおける複数の端子接続部１２１は、端子連結部１２２で囲まれる領域１Ｆと平行する１つの端子接続部平面２Ｆ上に配置される。【選択図】図１
2013045631.tif 000002
【特許請求の範囲】
【請求項１】
複数のケーブルが配線された回路が接続されるフードを複数有するハウジングと、
前記ハウジングの内部に設けられ、複数の前記フードに接続された前記回路の各前記ケーブルとそれぞれ電気的に接続され、互いに絶縁された複数の分岐端子と、を備え、
前記分岐端子は、
複数の前記フード内にそれぞれ配置され、前記ケーブルに接続される複数の端子接続部と、
複数の前記端子接続部を互いに連結する端子連結部と、を有し、
複数の前記分岐端子における複数の前記端子接続部は、前記端子連結部で囲まれる領域と平行する１つの端子接続部平面上に配置される分岐コネクタ。
【請求項２】
複数のうち少なくとも２つの前記分岐端子は、前記領域の中心を前記端子接続部平面に正射影した基準中心を通る第１基準線を基準として互いに線対称となる少なくとも一対の第２基準線を有し、
複数の前記端子接続部の少なくとも一部は、前記少なくとも一対の第２基準線それぞれに平行に延出すると共に、所定距離だけ離間して形成され、前記基準中心を中心とした回転方向において同じ側に配置され、
２つの前記分岐端子の一方は、他方に対して前記第１基準線を軸として１８０°回転して配置される請求項１に記載の分岐コネクタ。
【請求項３】
前記分岐端子は、前記基準中心から放射状に延出し、前記第１基準線と重なる少なくとも一本の第３基準線を有し、
複数の前記端子接続部の一部は、前記第３基準線に平行に延出すると共に、所定距離だけ離間して形成される請求項２に記載の分岐コネクタ。
【請求項４】
前記ハウジングは、前記基準中心を中心とする貫通孔が形成される請求項２又は３のいずれかに記載の分岐コネクタ。
【請求項５】
前記ハウジングは、平面視でＴ字形状、十字形状、矢印形状又はＹ字形状に形成される請求項１から４のいずれかに記載の分岐コネクタ。
【発明の詳細な説明】
【技術分野】
【０００１】
本発明は、分岐コネクタに関し、特に複数のケーブルが配線された回路が複数接続される分岐コネクタに関する。
【背景技術】
【０００２】
従来より、住宅関連等の電気機器内の電源又は信号配線は、供給先が複数ある場合、幹線回路を分岐コネクタで分岐させた別回路（以下、分岐回路とも言う）により、複数の供給先に供給される。
このように分岐コネクタを用いることで、電気回路の設計の自由度、分岐ハーネス作業及び保守作業の簡便性が大幅に向上する。
【０００３】
このような分岐コネクタとして、特許文献１及び２には、平面視でＴ字形状に形成され、幹線回路及び分岐回路を、圧縮、差し込み方式又は半田付などで接続させ、この接続箇所をテープや絶縁体で保護する分岐コネクタが提案されている。
また、特許文献３には、幹線回路及び分岐回路の先端に設けられたソケットが挿入されるフードを有する分岐コネクタが提案されている。
【先行技術文献】
【特許文献】
【０００４】
【特許文献１】特許第３３５３００７号公報
【特許文献２】実開平４−４７３４７号公報
【特許文献３】実開昭５６−１１５８７８号公報
【発明の概要】
【発明が解決しようとする課題】
【０００５】
ところで、図１５は、従来技術の分岐端子の斜視図である。従来技術における２本のケーブルが配線された幹線回路を分岐回路に分岐させる分岐コネクタは、２本のケーブルをそれぞれ分岐させる２つの分岐端子５０を備える。この２つの分岐端子５０は、分岐コネクタの内部で互いに絶縁され、幹線回路や分岐回路が配線された面（以下、幹線・分岐回路面とも言う）に対して垂直方向Ｔに配列されていた。
しかしながら、２つの分岐端子５０を幹線・分岐回路面に対して垂直方向Ｔに配列すると、各分岐端子５０におけるケーブルに接続される複数の端子接続部５１も幹線・分岐回路面に対してそれぞれ垂直方向Ｔに配列されることとなり、複数の端子接続部５１を全て同一平面上に配列した場合に比べ、分岐コネクタの外形が全体として高くなり、分岐コネクタを設置するためのスペースを拡大させる必要があり、分岐コネクタの設置に制約が生ずる場合があった。
【０００６】
本発明は、同一平面上に複数の端子接続部を配置することで、外形の高さを全体として抑え、設置を容易にする分岐コネクタを提供することを目的とする。
【課題を解決するための手段】
【０００７】
（１）  複数のケーブルが配線された回路が接続されるフードを複数有するハウジングと、前記ハウジングの内部に設けられ、複数の前記フードに接続された前記回路の各前記ケーブルとそれぞれ電気的に接続され、互いに絶縁された複数の分岐端子と、を備え、前記分岐端子は、複数の前記フード内にそれぞれ配置され、前記ケーブルに接続される複数の端子接続部と、複数の前記端子接続部を互いに連結する端子連結部と、を有し、複数の前記分岐端子における複数の前記端子接続部は、前記端子連結部で囲まれる領域と平行する１つの端子接続部平面上に配置される分岐コネクタ。
【０００８】
（１）の分岐コネクタは、複数のケーブルが配線された回路が接続されるフードを複数有するハウジングの内部に設けられ、各ケーブルとそれぞれ電気的に接続され、互いに絶縁された複数の分岐端子を備える。
この分岐端子は、複数のフード内にそれぞれ配置され、ケーブルに接続される複数の端子接続部と、複数の端子接続部を互いに連結する端子連結部と、を有し、複数の分岐端子における複数の端子接続部は、端子連結部で囲まれる領域と平行する１つの端子接続部平面上に配置される。
【０００９】
これにより、回路のケーブルに接続される複数の端子接続部を１つの端子接続部平面上に配置できる。
したがって、同一平面上に複数の端子接続部を配置することで、外形の高さを全体として抑え、設置を容易にする分岐コネクタを提供できる。
【００１０】
（２）  複数のうち少なくとも２つの前記分岐端子は、前記領域の中心を前記端子接続部平面に正射影した基準中心を通る第１基準線を基準として互いに線対称となる少なくとも一対の第２基準線を有し、複数の前記端子接続部の少なくとも一部は、前記少なくとも一対の第２基準線それぞれに平行に延出すると共に、所定距離だけ離間して形成され、前記基準中心を中心とした回転方向において同じ側に配置され、２つの前記分岐端子の一方は、他方に対して前記第１基準線を軸として１８０°回転して配置される（１）に記載の分岐コネクタ。
【００１１】
（２）の分岐コネクタは、分岐端子が、端子連結部で囲まれる領域の中心を端子接続部平面に正射影した基準中心を通る第１基準線を基準として互いに線対称となる少なくとも一対の第２基準線を有する。
複数の端子接続部の少なくとも一部は、少なくとも一対の第２基準線それぞれに平行に延出すると共に、所定距離だけ離間して形成され、基準中心を中心とした回転方向において同じ側に配置される。
そして、２つの分岐端子の一方は、他方に対して第１基準線を軸として１８０°回転して配置される。
【００１２】
これにより、２つの分岐端子の一方の一対の第２基準線それぞれに平行に延出する端子接続部は、１８０°回転して配置されることで、１つの端子接続部平面上において、他方の一対の第２基準線それぞれに平行に延出する端子接続部と、互いに第２基準線から所定距離だけ離間した位置に並列して配置される。
すなわち、同一形状の分岐端子の一方を、他方に対して反転させて配置するだけで、回路のケーブルに接続される複数の端子接続部を１つの端子接続部平面上に配置できる。
よって、異なる形状の分岐端子を製造することなく、１種類の形状の分岐端子を製造するだけで、複数の端子接続部を１つの端子接続部平面上に配置できる。
したがって、同一平面上に複数の端子接続部を配置することで、外形の高さを全体として抑え、設置を容易にし、製造コストを抑えた分岐コネクタを提供できる。
【００１３】
（３）  前記分岐端子は、前記基準中心から放射状に延出し、前記第１基準線と重なる少なくとも一本の第３基準線を有し、複数の前記端子接続部の一部は、前記第３基準線に平行に延出すると共に、所定距離だけ離間して形成される（２）に記載の分岐コネクタ。
【００１４】
（３）の分岐コネクタは、分岐端子が、基準中心から放射状に延出し、第１基準線と重なる少なくとも一本の第３基準線を有する。
複数の端子接続部の一部は、第３基準線に平行に延出すると共に、所定距離だけ離間して形成される。
【００１５】
これにより、２つの分岐端子の一方の第３基準線に平行に延出する端子接続部は、回転して配置されることで、１つの端子接続部平面上において、他方の第３基準線に平行に延出する端子接続部と、互いに第３基準線から所定距離だけ離間した位置に並列して配置される。
したがって、複数の端子接続部の数量が奇数の場合であっても、上記（２）の分岐コネクタと同様の作用効果を奏する。
【００１６】
（４）  前記ハウジングは、前記基準中心を中心とする貫通孔が形成される（２）又は（３）のいずれかに記載の分岐コネクタ。
これにより、分岐コネクタの中央近傍に貫通孔を設けたので、この貫通孔にネジ等を挿通し、分岐コネクタをネジ止め等できる。
したがって、回路を配線するスペースと略同じスペースがあれば、分岐コネクタを容易に取り付けることができる。
【００１７】
（５）  前記ハウジングは、平面視でＴ字形状、十字形状、矢印形状又はＹ字形状に形成される請求項（１）から（４）のいずれかに記載の分岐コネクタ。
これにより、回路の分岐方向や取り付ける位置に適した分岐コネクタを提供できる。
【発明の効果】
【００１８】
本発明によれば、同一平面上に複数の端子接続部を配置することで、外形の高さを全体として抑え、設置を容易にする分岐コネクタを提供できる。
【図面の簡単な説明】
【００１９】
【図１】本発明の一実施形態に係る分岐コネクタ及び回路の斜視図である。
【図２】前記実施形態に係る分岐コネクタの上面図である。
【図３】図２中ＡＡ切断面における分岐コネクタの断面図である。
【図４】ハウジングの内部に設けられた分岐端子とシール部材とを説明する図である。
【図５】前記実施形態に係るハウジングの内部に配置された状態の２つの分岐端子の斜視図である。
【図６】前記実施形態に係るハウジングの内部に配置された状態の２つの分岐端子の正面図である。
【図７】前記実施形態に係る分岐端子の平面図である。
【図８】前記実施形態の応用例に係る分岐端子の平面図である。
【図９】本実施形態の第１変形例に係る分岐コネクタの平面図である。
【図１０】前記第１変形例に係る分岐端子の平面図である。
【図１１】本実施形態の第２変形例に係る分岐コネクタの平面図である。
【図１２】前記第２変形例に係る分岐端子の平面図である。
【図１３】本実施形態の第３変形例に係る分岐コネクタの平面図である。
【図１４】前記第３変形例に係る分岐端子の平面図である。
【図１５】従来技術の分岐端子の斜視図である。
【発明を実施するための形態】
【００２０】
以下、本発明の一実施形態を図面に基づいて説明する。なお、以下の実施形態の説明にあたって、同一構成要件については同一符号を付し、その説明を省略もしくは簡略化する。
【００２１】
図１は、本発明の一実施形態に係る分岐コネクタ１及び回路２の斜視図である。
図２は、前記実施形態に係る分岐コネクタ１の上面図である。
分岐コネクタ１は、２配線の幹線回路と幹線回路からＴ字に分岐させた２配線の別回路（分岐回路）を接続する分岐コネクタである。
具体的には、分岐コネクタ１は、２本のケーブル２１が配線された回路２のソケット２２が挿入され接続されるフード１１１を複数有するハウジング１１を備える。本実施形態では、一例としてハウジング１１は、Ｔ字形状に形成されている。また、詳細な位置は後述するがハウジング１１には、その中央近傍に、分岐コネクタ１を電気機器等（図示無し）にビス等で固定するための貫通孔１１２が形成されている。
【００２２】
なお、本実施形態では、ハウジング１１をＴ字形状に形成したが、本発明ではこれに限らず、十字形状、矢印形状又はＹ字形状等に形成できる。また、本実施形態では、ハウジング１１のフード１１１の箇所数は３つであるが、本発明ではこれに限らず、３つ以上の任意の箇所数とすることができる。
【００２３】
図３は、図２中ＡＡ切断面における分岐コネクタ１の断面図である。
図４は、ハウジング１１の内部に設けられた分岐端子１２とシール部材１３とを説明する図である。
分岐コネクタ１は、ハウジング１１の内部に設けられた２つの分岐端子１２と、各フード１１１にそれぞれ設けられた複数のシール部材１３と、を備える。
２つの分岐端子１２は、複数のフード１１１に接続される回路２の各ケーブル２１（図１参照）とそれぞれ電気的に接続される。２つの分岐端子１２は、熱可塑性樹脂により一体形成されたハウジング１１の内部に配置され、互いに反転し、絶縁された状態で、固定されている。熱可塑性樹脂には、例えば、ＰＢＴ（ポリブチレンテレフタレート）樹脂が含まれる。
【００２４】
なお、本実施形態では、２つの分岐端子１２をハウジング１１の内部で熱可塑性樹脂により一体形成しているが、これに限らず、２つの分岐端子１２を互いに絶縁できれば、複数の部品を組み立てて分岐コネクタを製造してもよい。
【００２５】
シール部材１３は、ゴム部材で形成され、フード１１１に挿入される回路２のソケット２２（図１参照）の先端と当接し、水密性を確保する。
分岐コネクタ１は、シール部材１３を備えることで、防水分岐コネクタとして機能し、例えば、風雨に曝される屋外の配線に用いることもできる。
【００２６】
図５乃至７を参照して、分岐端子１２について、詳細に説明する。
図５は、前記実施形態に係るハウジング１１の内部に配置された状態の２つの分岐端子１２の斜視図である。
分岐端子１２は、複数のフード１１１（図４参照）内にそれぞれ配置され、回路２のソケット２２を介してケーブル２１（図１参照）に接続される複数の端子接続部１２１と、複数の端子接続部１２１を互いに連結する端子連結部１２２と、を有する。
【００２７】
図６は、前記実施形態に係るハウジング１１の内部に配置された状態の２つの分岐端子１２の正面図である。
２つの分岐端子１２における複数の端子接続部１２１は、端子連結部１２２とで囲まれる領域１Ｆと平行する１つの端子接続部平面２Ｆ上に配置される。
分岐端子１２は、領域１Ｆの中心Ｃを端子接続部平面２Ｆに正射影した基準中心Ｃ’を有する。
【００２８】
図７は、前記実施形態に係る分岐端子１２の平面図である。
分岐端子１２は、基準中心Ｃ’から放射状に延出し、基準中心Ｃ’を通る第１基準線１Ｌを基準として互いに線対称となる一対の第２基準線２Ｌを有する。
なお、本実施形態において、一対の第２基準線２Ｌは、基準中心Ｃ’から放射状に延出しているが、本発明はこれに限らず、一対の第２基準線２Ｌは、第１基準線１Ｌを基準として互いに線対称である限り、例えば、領域１Ｆを端子接続部平面２Ｆに正射影した領域における第１基準線１Ｌ上の任意の点を連結部中心とし、この連結部中心から放射状に延出することもできる。
【００２９】
複数の端子接続部１２１の少なくとも一部（本実施形態では、３つの内２つ）は、一対の第２基準線２Ｌそれぞれに平行に延出すると共に、所定距離Ｄだけ離間して形成され、基準中心Ｃ’を中心とした回転方向Ｒにおいて同じ側に配置される。
【００３０】
さらに、分岐端子１２は、基準中心Ｃ’から放射状に延出し、第１基準線１Ｌと重なる一本の第３基準線３Ｌを有する。
複数の端子接続部１２１の一部（本実施形態では、３つの内１つ）は、第３基準線３Ｌに平行に延出すると共に、所定距離Ｄだけ離間して形成される。
【００３１】
端子連結部１２２は、平面視で、領域１Ｆの中心Ｃ（図６参照）を中心とする円形状に形成される。ハウジング１１の貫通孔１１２（図３参照）は、端子連結部１２２の内側であり、領域１Ｆの中心Ｃ及び基準中心Ｃ’を通る軸を中心とする円柱形状に形成される。
本実施形態の端子連結部１２２は、円形状に形成されているが、本発明はこれに限らず、複数の端子接続部１２１を連結でき、端子連結部で囲まれる領域に貫通孔を形成できる形状であれば、例えば、Ｃ字形状や四角形状とすることができる。
【００３２】
次に、２つの分岐端子１２がハウジング１１の内部に配置された状態について説明する。
２つの分岐端子１２は、一方を他方に対して第１基準線１Ｌを軸として１８０°回転して配置される。これにより、図６に示すように、２つの分岐端子１２の６つの端子接続部１２１は、１つの端子接続部平面２Ｆ上に配置される。
【００３３】
なお、本実施形態の分岐端子１２は、一対の第２基準線２Ｌそれぞれに平行に延出する２つの端子接続部１２１と、第３基準線３Ｌに平行に延出する１つの端子接続部１２１とを備えるが、本発明はこれに限られない。
【００３４】
図８を参照して、本実施形態の応用例に係る分岐端子１２Ｄについて説明する。
図８は、前記実施形態の応用例に係る分岐端子１２Ｄの平面図である。
分岐端子１２Ｄは、基準中心Ｃ’から放射状に延出し、第１基準線１Ｌを基準として互いに線対称となる二対の第２基準線２Ｌそれぞれに平行に延出する４つの端子接続部１２１を備える。一方、分岐端子１２Ｄは、第３基準線３Ｌ及び第３基準線３Ｌ（図７参照）に平行に延出する端子接続部を備えていない。
【００３５】
次に、図９から図１４を参照して、本実施形態の変形例について説明する。
図９は、本実施形態の第１変形例に係る分岐コネクタ１Ａの平面図である。
図１０は、前記第１変形例に係る分岐端子１２Ａの平面図である。
分岐コネクタ１Ａのハウジング１１Ａは、平面視で十字形状に形成される。
分岐コネクタ１Ａの分岐端子１２Ａは、基準中心Ｃ’から放射状に延出する一対の第２基準線２Ｌ及び２本の第３基準線３Ｌにより十字形状が形成され、これらの基準線からそれぞれ所定距離Ｄだけ離間して端子接続部１２１が形成される。
【００３６】
図１１は、本実施形態の第２変形例に係る分岐コネクタ１Ｂの平面図である。
図１２は、前記第２変形例に係る分岐端子１２Ｂの平面図である。
分岐コネクタ１Ｂのハウジング１１Ｂは、平面視で矢印形状に形成される。
分岐コネクタ１Ｂの分岐端子１２Ｂは、基準中心Ｃ’から放射状に延出する一対の第２基準線２Ｌ及び１本の第３基準線３Ｌにより矢印形状が形成され、これらの基準線からそれぞれ所定距離Ｄだけ離間して端子接続部１２１が形成される。
【００３７】
図１３は、本実施形態の第３変形例に係る分岐コネクタ１Ｃの平面図である。
図１４は、前記第３変形例に係る分岐端子１２Ｃの平面図である。
分岐コネクタ１Ｃのハウジング１１Ｃは、平面視でＹ字形状に形成される。
分岐コネクタ１Ｃの分岐端子１２Ｃは、基準中心Ｃ’から放射状に延出する一対の第２基準線２Ｌ及び１本の第３基準線３ＬによりＹ字形状が形成され、これらの基準線からそれぞれ所定距離Ｄだけ離間して端子接続部１２１が形成される。
【００３８】
本実施形態によれば、以下のような作用効果がある。
分岐コネクタ１，１Ａ，１Ｂ及び１Ｃ（以下、分岐コネクタ１等とも言う）は、複数のケーブル２１が配線された回路２が接続されるフード１１１を複数有するハウジング１１の内部に設けられ、各ケーブル２１とそれぞれ電気的に接続され、互いに絶縁された複数の分岐端子１２，１２Ａ，１２Ｂ，１２Ｃ及び１２Ｄ（以下、分岐端子１２等とも言う）を備える。
この分岐端子１２等は、複数のフード１１１内にそれぞれ配置され、ケーブル２１に接続される複数の端子接続部１２１と、複数の端子接続部１２１を互いに連結する端子連結部１２２と、を有し、複数の分岐端子１２等における複数の端子接続部１２１は、端子連結部１２２で囲まれる領域１Ｆと平行する１つの端子接続部平面２Ｆ上に配置される。
【００３９】
これにより、回路のケーブルに接続される複数の端子接続部１２１を１つの端子接続部平面２Ｆ上に配置できる。
したがって、同一平面上に複数の端子接続部を配置することで、外形の高さを全体として抑え、設置を容易にする分岐コネクタを提供できる。
【００４０】
また、分岐コネクタ１等は、分岐端子１２等が、端子連結部１２２で囲まれる領域１Ｆの中心Ｃを端子接続部平面２Ｆに正射影した基準中心Ｃ’を通る第１基準線１Ｌを基準として互いに線対称となる少なくとも一対の第２基準線２Ｌを有する。
複数の端子接続部１２１の少なくとも一部は、少なくとも一対の第２基準線２Ｌそれぞれに平行に延出すると共に、所定距離Ｄだけ離間して形成され、基準中心Ｃ’を中心とした回転方向Ｒにおいて同じ側に配置される。
そして、２つの分岐端子１２等の一方は、他方に対して第１基準線１Ｌを軸として１８０°回転して配置される。
【００４１】
これにより、２つの分岐端子１２等の一方の一対の第２基準線２Ｌそれぞれに平行に延出する端子接続部１２１は、１８０°回転して配置されることで、１つの端子接続部平面２Ｆ上において、他方の一対の第２基準線２Ｌそれぞれに平行に延出する端子接続部１２１と、互いに第２基準線２Ｌから所定距離Ｄだけ離間した位置に並列して配置される。
【００４２】
また、分岐コネクタ１等は、分岐端子１２，１２Ａ，１２Ｂ及び１２Ｃが、基準中心Ｃ’から放射状に延出し、第１基準線１Ｌと重なる少なくとも一本の第３基準線３Ｌを有する。
複数の端子接続部１２１の一部は、第３基準線３Ｌに平行に延出すると共に、所定距離Ｄだけ離間して形成される。
【００４３】
これにより、２つの分岐端子１２，１２Ａ，１２Ｂ及び１２Ｃの一方の第３基準線３Ｌに平行に延出する端子接続部１２１は、回転して配置されることで、１つの端子接続部平面２Ｆ上において、他方の第３基準線３Ｌに平行に延出する端子接続部１２１と、互いに第３基準線３Ｌから所定距離Ｄだけ離間した位置に並列して配置される。
【００４４】
すなわち、同一形状の分岐端子の一方を、他方に対して反転させて配置するだけで、回路のケーブルに接続される複数の端子接続部を１つの端子接続部平面上に配置できる。
よって、異なる形状の分岐端子を製造することなく、１種類の形状の分岐端子を製造するだけで、複数の端子接続部を１つの端子接続部平面上に配置できる。
したがって、同一平面上に複数の端子接続部を配置することで、外形の高さを全体として抑え、設置を容易にし、製造コストを抑えた分岐コネクタを提供できる。
【００４５】
また、分岐コネクタ１等の中央近傍に貫通孔１１２を設けたので、この貫通孔１１２にネジ等を挿通し、分岐コネクタ１等をネジ止め等できる。
したがって、回路を配線するスペースと略同じスペースがあれば、分岐コネクタを容易に取り付けることができる。
また、回路の分岐方向や取り付ける位置に適した分岐コネクタを提供できる。
【００４６】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００４７】
例えば、本実施形態において、分岐コネクタ１は、回路２の２本のケーブル２１が接続される２つの分岐端子１２のみ備えるが、本発明ではこれに限らず、例えば、ケーブルが３本以上の回路が接続される場合、２つの分岐端子１２に加え、他の分岐端子を端子接続部平面２Ｆ上に配置することもできる。
【符号の説明】
【００４８】
１，１Ａ，１Ｂ，１Ｃ  分岐コネクタ
１１      ハウジング
１１１    フード
１２，１２Ａ，１２Ｂ，１２Ｃ，１２Ｄ  分岐端子
１２１    端子接続部
１２２    端子連結部
２        回路
２１      ケーブル
１Ｆ      領域
２Ｆ      端子接続部平面
【図１】
2013045631.tif 000003
【図２】
2013045631.tif 000004
【図３】
2013045631.tif 000005
【図４】
2013045631.tif 000006
【図５】
2013045631.tif 000007
【図６】
2013045631.tif 000008
【図７】
2013045631.tif 000009
【図８】
2013045631.tif 000010
【図９】
2013045631.tif 000011
【図１０】
2013045631.tif 000012
【図１１】
2013045631.tif 000013
【図１２】
2013045631.tif 000014
【図１３】
2013045631.tif 000015
【図１４】
2013045631.tif 000016
【図１５】
2013045631.tif 000017